(57)【要約】【課題】設置場所の状況に応じて任意の大きさ及び形状に構成できる間仕切りを提供する。【解決手段】板部材１３を立てて空間を仕切る間仕切り１１である。板部材１３の連結具１４に支柱１２を通して左右又は上下に複数枚組み合わせて任意の大きさの間仕切り１１とする。連結具１４が、円錐形筒を上下に二分割した一方の筒片（分割筒部３８等）で構成されると共に、その一方の筒片を他方の筒片（分割筒部４２等）に対して互いに上下に重なり合うようにずれた位置で板部材１３に取り付けた。また、支柱１２に緩く嵌合して板部材１３を支持する支持片４０等を設けた。一方の支持片４０Ａは、分割筒部３８のずれと逆方向にずらして設けた。【選択図】　　図１
2004116253.tif 000002
【特許請求の範囲】
【請求項１】
板部材を立てた状態で設置して空間を仕切る間仕切りにおいて、
上記板部材の左右に連結具を設け、当該連結具に支柱を通して上記板部材を少なくとも左右に複数枚組み合わせて任意の大きさにできることを特徴とする間仕切り。
【請求項２】
板部材を立てた状態で設置して空間を仕切る間仕切りにおいて、
上記板部材の左右両端の上下に連結具を設け、上下の連結具の一方に、支柱に嵌合して上記板部材を任意の高さで固定する支持用筒部を備え、上下の連結具の他方に、上記支柱に緩く嵌合して板部材を支持する支持片を備えたことを特徴とする間仕切り。
【請求項３】
請求項１に記載の間仕切りにおいて、
上記連結具が、上記支柱に嵌合して任意の高さで固定される支持用筒部を備えて構成され、
隣り合う板部材の各支持用筒部が、１本の上記支柱に取り付けられた状態で互いに上下に重なり合うようにずれた位置に設けられたことを特徴とする間仕切り。
【請求項４】
請求項３に記載の間仕切りにおいて、
上記支持用筒部が、円錐形筒を上下に二分割した一方の筒片で構成されると共に、その一方の筒片を他方の筒片に対して互いに上下に重なり合うようにずれた位置で上記板部材に取り付けて構成されたことを特徴とする間仕切り。
【請求項５】
請求項１、３又は４のいずれか１項に記載の間仕切りにおいて、
上記連結具が、上記板部材の左右端部の一方又は両方の上下方向一方に設けられ、上下方向他方には上下方向一方の上記連結具のずれと逆方向にずらした連結具が設けられたことを特徴とする間仕切り。
【請求項６】
請求項１に記載の間仕切りにおいて、
上記連結具が、上記支柱に嵌合して任意の高さで固定される支持用筒部を備えて構成され、
上記支持用筒部が、円錐形筒を上下に三分割した各筒片のうち、上下の２つの筒片又は中央の筒片を板部材に取り付けて構成されたことを特徴とする間仕切り。
【請求項７】
請求項６に記載の間仕切りにおいて、
上記支持用筒部の中央の筒片の内径が、上下の筒片を構成する円錐形筒の内径よりも大きく設定されたことを特徴とする間仕切り。
【請求項８】
請求項１乃至７のいずれか１項に記載の間仕切りにおいて、
上記板部材が金網で構成されたことを特徴とする間仕切り。
【発明の詳細な説明】
【０００１】
【発明の属する技術分野】
この発明は、部屋や押入等の空間を任意の位置で仕切ることができる間仕切りに関するものである。
【０００２】
【従来の技術】
部屋の中の一部や押入などを仕切る間仕切りとしては、本出願人が先に提案したものがある。
【０００３】
【特許文献１】
実用新案登録第３０４５５７０号公報
特許文献１の間仕切り１は、図２に示すように、２本の支柱２と、この２本の支柱２に掛け渡した状態で取り付けられた網板型掛具３とから構成されている。
【０００４】
このように構成された間仕切り１は、その支柱２が部屋や押入等の空間の床と天井との間に突っ張らせた状態で取り付けられて、部屋や押入を仕切る。
【０００５】
【発明が解決しようとする課題】
しかしながら、上記構成の間仕切り１の場合、２本の支柱２に１枚の網板型掛具３を取り付けて構成されているため、間仕切り１を容易に取り付けることができるが、網板型掛具３の大きさが限られるため、この網板型掛具３の大きさに応じた場所にしか取り付けることができなかった。設置場所に応じて大きさ及び形状を変えることはできなかった。
【０００６】
本発明は、上述の点に鑑みてなされたもので、設置場所の状況に応じて任意の大きさ及び形状に構成することができる間仕切りを提供することを目的とする。
【０００７】
【課題を解決するための手段】
前述した課題を解決するために第１の発明に係る間仕切りは、板部材を立てた状態で設置して空間を仕切る間仕切りにおいて、上記板部材の左右に連結具を設け、当該連結具に支柱を通して上記板部材を少なくとも左右に複数枚組み合わせて任意の大きさにできることを特徴とする。
【０００８】
上記構成により、連結具で板部材を左右に複数枚連結することができる。また、上下左右に複数枚連結することもできる。これにより、部屋や押入等の大きさに応じて間仕切りを構成することができる。
【０００９】
第２の発明に係る間仕切りは、板部材を立てた状態で設置して空間を仕切る間仕切りにおいて、上記板部材の左右両端の上下に連結具を設け、上下の連結具の一方に、支柱に嵌合して上記板部材を任意の高さで固定する支持用筒部を備え、上下の連結具の他方に、上記支柱に緩く嵌合して板部材を支持する支持片を備えたことを特徴とする。
【００１０】
上記構成により、上下にあまり隙間を持たせずに、又はほぼ塞いだ状態で取り付けることができる。このとき、支持片は支柱に容易に挿入でき、支持用筒部で確実に固定できる。これにより、間仕切りを容易に組み立てることができる。
【００１１】
第３の発明に係る間仕切りは、第１の発明に係る間仕切りにおいて、上記連結具が、上記支柱に嵌合して任意の高さで固定される支持用筒部を備えて構成され、隣り合う板部材の各支持用筒部が、１本の上記支柱に取り付けられた状態で互いに上下に重なり合うようにずれた位置に設けられたことを特徴とする。
【００１２】
上記構成により、隣り合う板部材の各支持用筒部を１つの支柱に取り付けると、各支持用筒部は互いに上下に重なり合って、隣り合う板部材が上下にずれることなく、同じ高さに連結することができる。
【００１３】
第４の発明に係る間仕切りは、第３の発明に係る間仕切りにおいて、上記支持用筒部が、円錐形筒を上下に二分割した一方の筒片で構成されると共に、その一方の筒片を他方の筒片に対して互いに上下に重なり合うようにずれた位置で上記板部材に取り付けて構成されたことを特徴とする。
【００１４】
上記構成により、隣り合う板部材の各支持用筒部を１つの支柱に取り付けると、各支持用筒部は互いに上下に重なり合って１つの円錐形筒を構成する。これにより、支持用筒部が嵩張ることなく、かつ隣り合う板部材が上下にずれることなく、同じ高さに連結することができる。
【００１５】
第５の発明に係る間仕切りは、第１、第３又は第４の発明のいずれかに係る間仕切りにおいて、上記連結具が、上記板部材の左右端部の一方又は両方の上下方向一方に設けられ、上下方向他方には上下方向一方の上記連結具のずれと逆方向にずらした連結具が設けられたことを特徴とする。
【００１６】
上記構成により、隣り合う板部材の各支持用筒部を１つの支柱に取り付けると、一方の板部材の支持用筒部及び支持片が、他方の板部材の支持用筒部及び支持片を挟み込むように上下に位置する。これにより、隣り合う２つの板部材は支持用筒部及び支持片によって互いに上下の移動が規制され、一方の板部材が上下にずれようとすると、他方の板部材によって抑えられる。この結果、各板部材のずれや抜け落ちを防止することができる。
【００１７】
第６の発明に係る間仕切りは、第１の発明に係る間仕切りにおいて、上記連結具が、上記支柱に嵌合して任意の高さで固定される支持用筒部を備えて構成され、上記支持用筒部が、円錐形筒を上下に三分割した各筒片のうち、上下の２つの筒片又は中央の筒片を板部材に取り付けて構成されたことを特徴とする。
【００１８】
上記構成により、一方の板部材の上下の２つの筒片と、他方の板部材の中央の筒片とが互いに合わさった状態で、１つの支柱に嵌合することにより、隣り合う板部材が上下にずれることなく、同じ高さに連結することができる。さらに、他方の板部材の中央の筒片を、一方の板部材の上下の２つの筒片が挟み込むため、隣り合う２つの板部材は互いに上下の移動が規制され、一方の板部材が上下にずれようとすると、他方の板部材によって抑えられる。この結果、各板部材のずれや抜け落ちを防止することができる。
【００１９】
第７の発明に係る間仕切りは、第６の発明に係る間仕切りにおいて、上記支持用筒部の中央の筒片の内径が、上下の筒片を構成する円錐形筒の内径よりも大きく設定されたことを特徴とする。
【００２０】
上記構成により、支持用筒部の中央の筒片の内径を上下の筒片を構成する円錐形筒の内径よりも大きく設定したので、中央の筒片が、支柱に対して緩やかに嵌合して容易に回動できるようになる。これにより、板部材を容易に回動させることができ、複数枚の板部材を支柱で連結して屏風として使用することができる。
【００２１】
第８の発明に係る間仕切りは、第１乃至第７の発明のいずれかに記載の間仕切りにおいて、上記板部材が金網で構成されたことを特徴とする。
【００２２】
上記構成により、上記板部材を金網で構成することで、物理的には仕切るが、視覚的には完全に遮蔽しない間仕切りにすることができる。また、金網に物を掛けたりすることもでき、壁面を有効利用できる。
【００２３】
【発明の実施の形態】
以下、本発明に係る間仕切りについて図面を参照しながら説明する。
【００２４】
［第１の実施形態］
以下に、本発明の第１の実施形態に係る間仕切りについて説明する。図１は本実施形態に係る間仕切りを示す分解図、図３は本実施形態に係る支柱の３つの棒片を示す斜視図、図４支柱のアジャスターを示す正面図、図５は本実施形態に係る板部材を示す正面図、図６は本実施形態に係る板部材を示す平面図、図７は本実施形態に係る支持用筒部を示す正面図、図８は本実施形態に係る支持用スリーブを示す斜視図及び正面図、図９は本実施形態に係る間仕切りの組み立て状態を示す斜視図、図１０は本実施形態に係る間仕切りの組み立て状態を示す正面図、図１１は本実施形態に係る間仕切りを直角に折り曲げた設置例を示す斜視図、図１２は本実施形態に係る間仕切りを平らに広げた設置例を示す斜視図である。
【００２５】
本実施形態に係る間仕切り１１は、任意の枚数の板部材を組み合わせて、設置スペースの大きさ等に応じた大きさに組み立てて、空間を仕切ることができるようにしたものである。この間仕切り１１は、図１に示すように、支柱１２と、板部材１３と、連結具１４とから構成されている。なおここでは、４枚の板部材１３を組み合わせて間仕切り１１が構成されている。
【００２６】
支柱１２は３本並列に配設されている。この支柱１２は、板部材１３の枚数に応じて適宜配設される。支柱１２は、図１、３、４に示すように、断面形状が円形の複数本の棒片で構成されている。棒片の種類は、下段棒片１６と、中段棒片１７と、上段棒片１８とがある。このうち中段棒片１７は、複数本用意され、設置場所の高さに応じた本数が接続される。
【００２７】
下段棒片１６は、断面円形状の一定長さの棒片で構成され、その下端部にアジャスター２０が設けられている。アジャスター２０は、下段棒片１６の下端部に回動可能に取り付けられたナット部２１と、このナット部２１にねじ込まれた支持足部２２とから構成されている。アジャスター２０は、その支持足部２２が床面に当接して支柱１２を支持すると共に、支持足部２２がナット部２１に最もねじ込まれた状態（図４（Ａ）に示す最も縮んだ状態）からナット部２１を回して支持足部２２が最も伸張した状態（図４（Ｂ）に示す最も伸張した状態）まで、高さを調整できるようになっている。下段棒片１６の上端部の内周面にはネジ溝（図示せず）が刻まれている。このネジ溝は、後述する中段棒片１７のネジ山２６がねじ込まれることで中段棒片１７を下段棒片１６に連結するためのものである。断面円形状の下段棒片１６の外周面には環状溝２４が形成されている。この環状溝２４は、後述する支持用スリーブ５５の係止用凸条５６が嵌合することでこの支持用スリーブ５５を支持するための溝である。この環状溝２４は、下段棒片１６の外周面に環状に形成され、一定間隔をおいて上下に複数設けられている。環状溝２４の位置及び間隔は、板部材１３の設置位置等に合わせて適宜設定される。
【００２８】
中段棒片１７は、任意の本数を互いに連結すると共に下段棒片１６に連結して、支柱１２の長さを決めるための部材である。中段棒片１７は、断面円形状の一定長さの棒片で構成され、その下端部にネジ山２６が刻まれている。上端部の内周面にはネジ溝（図示せず）が刻まれている。下端部のネジ山２６は、下段棒片１６のネジ溝又は他の中段棒片１７のネジ溝にねじ込まれることで、中段棒片１７が下段棒片１６に連結され、又は中段棒片１７が複数本連結されるようになっている。中段棒片１７の上端部の内周面のネジ溝は、上述したように、他の中段棒片１７の下端部のネジ山２６がねじ込まれることで中段棒片１７を複数本に連結するためのものである。このため、複数連結される中段棒片１７のうちの最上段の中段棒片１７の場合は設ける必要はない。なお、ネジ溝があっても特に問題はない。中段棒片１７の外周面には、下段棒片１６と同様に、環状溝２４が形成されている。
【００２９】
上段棒片１８は、天井面等に当接して支柱１２を支持するための部材である。上段棒片１８は、棒部２７と、当接部２８と、圧接ナット２９と、エンドキャップ３０とから構成されている。棒部２７は、断面円形状の一定長さの棒材である。棒部２７の外径は、中段棒片１７の内径よりも小さく設定され、棒部２７が中段棒片１７内に挿入できるようになっている。当接部２８は、棒部２７の上端部に設けられ、天井面等に直接に圧接されて支柱１２を支持するための部材である。圧接ナット２９は、棒部２７の下端部に刻まれたネジ山にねじ込まれて設けられ、その直径が拡大して、上段棒片１８を中段棒片１７に固定するための部材である。圧接ナット２９は、円筒の一カ所を縦に切り裂いて構成され、その内周面にネジ溝が刻まれている。棒部２７の下端のネジ山３１は上方へ向けて直径が大きくなるテーパ状に形成されている。これにより、棒部２７のネジ山３１が圧接ナット２９にねじ込まれていくことで圧接ナット２９が次第に押し広げられ、圧接ナット２９の外周面が中段棒片１７の内周面に圧接して、上段棒片１８が中段棒片１７に固定されるようになっている。エンドキャップ３０は、上段棒片１８が中段棒片１７に固定された後、中段棒片１７の上端を塞ぐための部材である。
【００３０】
板部材１３は、空間を仕切るための部材である。この板部材１３は、ここでは仕切る空間の広さに合わせて、４枚配設されている。板部材１３は、図１、５、６に示すように、金網部３３と、補強部３４とから構成されている。
【００３１】
金網部３３は、金属線材を縦横に組み合わせた四角形板状の金網によって構成されている。金網によって構成するのは、物理的には空間を仕切るが、視覚的には完全に遮蔽しない間仕切りにすると共に、金網に物を掛けて壁面の有効利用を図るためである。
【００３２】
補強部３４は、金網部３３を補強すると共に、両端部に連結具１４を支持するための部材である。補強部３４は、金網部３３の上下端のいずれか一方に設けられている。補強部３４は、２本の線材３４Ａ、３４Ｂと、その間に取り付けられた波線状の線材３４Ｃとから構成されている。
【００３３】
連結具１４は、板部材１３を支柱１２に取り付けるための部材で、支持用筒部、分割筒部及び支持片で構成されている。この連結具１４は、板部材１３の左右両端の上下端（板部材１３の四隅）にそれぞれ設けられている。これらの連結具１４は、４枚の板部材１３に応じてそれぞれ異なる構成となっている。なおここでは、４枚の板部材１３を、図１中の左上から右下へ第１〜第４板部材１３Ａ、１３Ｂ、１３Ｃ、１３Ｄとして説明する。図５及び図６は、第２板部材１３Ｂを示している。
【００３４】
第１板部材１３Ａは、上部に補強部３４が設けられ、この補強部３４の左端部に通常の支持用筒部３７が、右端部に分割筒部３８が設けられている。
【００３５】
通常の支持用筒部３７は、円錐型筒状に形成されて（図７参照）、その内部に円錐形状の嵌合穴（図示せず）を有している。この嵌合穴は、後述する支持用スリーブ５５とほぼ整合するように、上方へ向けて内径を縮小させて形成されている。これにより、支持用スリーブ５５の内周面に設けられた後述の係止用凸条５６が支柱１２の環状溝２４に嵌合した状態で、支持用筒部３７を支持用スリーブ５５にその上側から嵌合させることで、支持用筒部３７が支持用スリーブ５５を締め付けるようになっている。即ち、支持用スリーブ５５がくさびとして機能して支柱１２の外側面と支持用筒部３７の嵌合穴の内側面とに圧接されて、支持用筒部３７を支柱１２に確実に固定させるようになっている。これにより、支持用スリーブ５５の係止用凸条５６を支柱１２の任意の位置の環状溝２４に嵌合させて、支持用筒部３７を支持用スリーブ５５に取り付けることで、板部材１３を任意の高さで支柱１２に固定することができるようになっている。
【００３６】
なお、支持用スリーブ５５（図８参照）は、支柱１２を包み込むように二つ割りの円錐形筒状に形成されている。円錐形筒状に形成された支持用スリーブ５５は、上方へ向けて直径が縮小し、くさびとして機能するようになっている。支持用スリーブ５５の内側面には、支柱１２の環状溝２４に直接に嵌合する係止用凸条５６が設けられている。この係止用凸条５６は円環状にかつ細い凸条に形成されている。この係止用凸条５６が環状溝２４に嵌合した状態で、二つ割りの支持用スリーブ５５が支柱１２を包み込むように取り付けられることにより、支持用スリーブ５５が支柱１２に対して上下方向へずれることなく、確実に支持されるようになっている。
【００３７】
分割筒部３８は、通常の支持用筒部（３７）を上下に二分割した一方の筒部によって構成されている。ここでは、二分割した通常の支持用筒部（３７）の下方の筒部によって構成されている。上方の筒部は、後述するように、第２板部材１３Ｂ側に設けられ、これらが上下に重なり合って１つの支持用スリーブ５５に嵌合されるようになっている。隣り合う板部材１３Ａ、１３Ｂの各分割筒部３８、４２は、板部材１３Ａ、１３Ｂが同じ高さで支柱１２に取り付けられた状態で、互いに重なり合って１つの支持用筒部を構成するように、上下にずれた位置に設けられている。これにより、隣り合う板部材１３Ａ、１３Ｂを同じ高さに保った状態で、支柱１２に取り付けることができるようになっている。
【００３８】
金網部３３の下端の左右両端部には、支持片４０が設けられている。この支持片４０は、支柱１２に緩く嵌合して金網部３３の下端を支持してブレを防止するための部材である。支持片４０は、金網部３３を構成する金属線材のうち下端に位置する横方向の金属線材の左右端部を円環状に折り曲げて構成されている。この左右の支持片４０のうち右側の支持片４０Ａは、上記分割筒部３８のずれと逆方向である、上方にずらした位置に設けられている。具体的には、支持片４０の厚さ分だけ上方にずらした位置に設けられ、支柱１２に取り付けられた状態で、隣り合う第２板部材１３Ｂの支持片４３と上下に重なり合うようになっている。左側の支持片４０Ｂは、下端に位置する横方向の金属線材と同じ高さで横方向に延出されている。
【００３９】
第２板部材１３Ｂは、第１板部材１３Ａとほぼ同様の構成を有している。即ち、第２板部材１３Ｂは、金網部３３と、補強部３４とから構成されている。金網部３３と、補強部３４は第１板部材１３Ａと同様である。
【００４０】
第２板部材１３Ｂでは、上部に設けられた補強部３４の右端部に通常の支持用筒部４１が、左端部に分割筒部４２が設けられている。通常の支持用筒部４１は、第１板部材１３Ａの支持用筒部３７と同様である。分割筒部４２は、第１板部材１３Ａの分割筒部３８と対を成す部材である。即ち、分割筒部４２は、通常の支持用筒部を上下に二分割した他方（上方）の筒部によって構成され、第１板部材１３Ａの分割筒部３８と上下に重なり合うことで、通常の支持用筒部を構成するようになっている。他の構成は、第１板部材１３Ａの分割筒部３８と同様である。
【００４１】
金網部３３の下端の左右両端部に設けられる支持片４３は、両方共に、下端に位置する横方向の金属線材と同じ高さで横方向に延出して構成されている。
【００４２】
これにより、第２板部材１３Ｂの分割筒部４２と支持片４３とが、第１板部材１３Ａの分割筒部３８と支持片４０Ａとを上下から挟んだ状態で、支柱１２に取り付けられるようになっている。この結果、一方の板部材１３Ａ、１３Ｂが上方へ抜けようとすると、他方の板部材１３Ｂ、１３Ａの分割筒部又は支持片に引っ掛かかって、抜けないようになっている。
【００４３】
第３板部材１３Ｃは、第１板部材１３Ａとほぼ同様の構成を有している。即ち、第３板部材１３Ｃは、金網部３３と、補強部３４とから構成されている。
【００４４】
金網部３３は第１板部材１３Ａと同様である。補強部３４は金網部３３の下端に設けられている。
【００４５】
連結具１４のうち、左側の通常の支持用筒部４５及び支持片４６は、第１板部材１３Ａの支持用筒部３７及び支持片４０Ｂと同じ構成を有するが、補強部３４に合わせて、上下逆に設けられている。
【００４６】
右側の分割筒部４７及び支持片４８は、補強部３４に合わせて、上下逆に設けられている。さらに、分割筒部４７は、通常の支持用筒部を上下に二分割した筒片のうち上方の筒片によって構成されている。分割筒部４７の具体的な構成は、第２板部材１３Ｂの分割筒部４２と同様である。支持片４８は、分割筒部４７のずれと逆方向である、下方にずらした位置に設けられている。具体的な構成は、上下が逆にした状態で、第１板部材１３Ａの支持片４０Ａと同様である。
【００４７】
第４板部材１３Ｄは、第２板部材１３Ｂとほぼ同様の構成を有している。即ち、第４板部材１３Ｄは、金網部３３と、補強部３４とから構成されている。
【００４８】
金網部３３は第２板部材１３Ｂと同様である。補強部３４は、第２板部材１３Ｂと同様であるが、金網部３３の下端に設けられている。
【００４９】
連結具１４のうち、右側の通常の支持用筒部５０及び支持片５１は、第２板部材１３Ｂの支持用筒部４１及び支持片４３と同じ構成を有するが、補強部３４に合わせて、上下逆に設けられている。左側の分割筒部５２及び支持片５３も、補強部３４に合わせて、上下逆に設けられている。さらに、分割筒部５２は、通常の支持用筒部を上下に二分割した筒片のうち下方の筒片によって構成されている。分割筒部５２と第３板部材１３Ｃの分割筒部４７と組み合わさって、第１板部材１３Ａの分割筒部３８及び第２板部材１３Ｂの分割筒部４２と同様の構成を有している。支持片５３は、第２板部材１３Ｂの支持片４３と同様である。
【００５０】
［動作］
以上のように構成された間仕切り１１は、次のようにして組み立てられる。ここでは、部屋の内部を間仕切りする場合について説明する。
【００５１】
まず、支柱１２を組み立てる。下段棒片１６及び中段棒片１７を互いにねじ込んで固定する。なおここでは、２本の中段棒片１７を使用している。次いで、上段棒片１８を中段棒片１７に挿入する。
【００５２】
次いで、アジャスター２０が最も縮んだ状態であることを確認して、上段棒片１８が天井に接触するまで延ばす。上段棒片１８を回して締め付け、上段棒片１８と中段棒片１７とを固定する。次いで、エンドキャップ３０を中間部の上端に被せる。この状態で、アジャスター２０を回せば、支柱１２が床と天井とに突っ張った状態で固定される。ここでは、固定せずに外す。３本の支柱１２に対してこの調整を行う。
【００５３】
次いで、図９に示すように、４枚の板部材１３Ａ、１３Ｂ、１３Ｃ、１３Ｄを３本の支柱１２にそれぞれ挿入する。このとき、第１板部材１３Ａの分割筒部３８と支持片４０Ａとが第２板部材１３Ｂの分割筒部４２と支持片４３との間に挟まれるように挿入する。即ち、第２板部材１３Ｂの分割筒部４２を先に挿入し、次いで、第１板部材１３Ａの分割筒部３８を挿入し、次いで第１板部材１３Ａの支持片４０Ａを挿入し、最後に第２板部材１３Ｂの支持片４３を挿入する。第１及び第２板部材１３Ａ、１３Ｂの外側の支持用筒部３７及び支持片４０Ｂ並びに支持用筒部４１及び支持片４３はそのまま支柱１２に挿入する。
【００５４】
第３及び第４板部材１３Ｃ、１３Ｄの場合は、第４板部材１３Ｄの支持片５３、第３板部材１３Ｃの支持片４８、第３板部材１３Ｃの分割筒部４７、第４板部材１３Ｄの分割筒部５２の順に挿入する。第３及び第４板部材１３Ｃ、１３Ｄの外側の支持片４６、支持用筒部４５、支持片５１、支持用筒部５０はそのまま支柱１２に挿入する。次いで、支柱１２の下端部にアジャスター２０を装着する。
【００５５】
次いで、支持用筒部３７、分割筒部３８、支持用筒部４１、分割筒部４２、支持用筒部４５、分割筒部４７、支持用筒部５０、分割筒部５２の取り付け位置に支持用スリーブ５５を取り付けて、その上側から上記各筒部を嵌合させる。分割筒部３８、４２及び４７、５２の場合は、上下に重なった状態で支持用スリーブ５５に嵌合する。これにより、図１０に示すように、各板部材１３が３本の支柱１２に任意の高さで取り付けられて、間仕切り１１が組み上がる。このとき、隣り合う板部材１３は、分割筒部３８等により同じ高さに取り付けられる。
【００５６】
次いで、間仕切り１１を立てて、部屋の任意の位置に設置し、アジャスター２０を回して、支柱１２を床と天井に突っ張らせる。この場合は、図１１に示すように９０度に曲げて設置したり、図１２に示すように、平坦面状に延ばして設置したりする。
【００５７】
［効果］
以上のように、連結具１４で板部材１３を支柱１２の任意の位置に任意枚数取り付けることができるため、間仕切り１１を任意の大きさに組み立てることができる。これにより、部屋や押入等の大きさに応じて間仕切りを構成することができる。
【００５８】
また、各板部材１３の連結具１４を、隣り合う板部材１３の一方の連結具１４で他方の板部材１３の連結具１４を抱え込むように配設したので、板部材１３の抜けを防止することができる。
【００５９】
さらに、各連結具１４を支柱１２に挿入するだけで、間仕切り１１を組み立てることができるため、組み立て作業が容易になる。また分解も容易になる。即ち、間仕切り１１の取り付け、取り外しが容易になる。
【００６０】
また、連結具１４の分割筒部３８、４２及び４７、５２を上下にずらして重なり合うようにしたので、隣り合う板部材１３を同じ高さで並べて支持することができるようになる。
【００６１】
［第２の実施形態］
次に、本発明の第２の実施形態について説明する。本実施形態の間仕切りは、板部材１３を上下に２枚設けた例である。図１３は本実施形態の上部の板部材１３を示す斜視図、図１４は本実施形態の下部の板部材１３を示す斜視図、図１５は本実施形態の間仕切りを示す斜視図である。
【００６２】
本実施形態の間仕切り６０は、支柱１２と、板部材１３と、連結具６１とから構成されている。
【００６３】
支柱１２は、２本並列に配設されている。この支柱の構成は、第１実施形態の支柱１２と同様である。
【００６４】
板部材１３は、ここでは２枚配設されている。板部材１３は、金網部３３と、補強部３４とから構成されている。金網部３３及び補強部３４は、第１実施形態と同様の構成を有している。
【００６５】
連結具６１は、板部材１３の四隅にに設けられている。この連結具６１は、２枚の板部材１３に応じてそれぞれ異なる構成となっている。ここでは、２枚の板部材１３のうち上段の板部材１３を第１板部材１３Ｅ、下段の板部材１３を第２板部材１３Ｆとして説明する。
【００６６】
第１板部材１３Ｅは、図中の上部に補強部３４が設けられ、この補強部３４の左右端部に通常の支持用筒部６３、６４が設けられている。この通常の支持用筒部６３、６４は、第１実施形態の支持用筒部３７と同様である。
【００６７】
金網部３３の下端の左右両端部には、支持片６５、６６が設けられている。この支持片６５、６６は、支柱１２に嵌合して金網部３３の下端をブレないように支持するための部材である。支持片６５、６６は、第１の実施形態の支持片４０Ｂと同様の構成を有している。
【００６８】
第２板部材１３Ｆは、第１板部材１３Ｅとほぼ同様の構成を有している。即ち、第２板部材１３Ｆは、金網部３３と、補強部３４とから構成されている。これら金網部３３及び補強部３４は、上下逆であることを除き、第１板部材１３Ｅと同様の構成を有している。連結具６１は、第１板部材１３Ｅと上下が逆に配設されている。
【００６９】
［動作］
以上のように構成された間仕切り６０は、次のようにして組み立てられる。
【００７０】
まず、支柱１２を組み立てる。この支柱１２の組み立ては、上記第１実施形態の場合と同様である。
【００７１】
次いで、２枚の板部材１３Ｅ、１３Ｆを２本の支柱１２にそれぞれ挿入する。次いで、任意の位置に支持用スリーブ５５を取り付けて、その上側から支持用筒部６３、６４等を嵌合させる。これにより、各板部材１３が２本の支柱１２に任意の高さで取り付けられて、間仕切り６０が組み上がる。
【００７２】
次いで、間仕切り６０を立てて、部屋の任意の位置に設置し、アジャスター２０を回して、支柱を床と天井に突っ張らせる。
【００７３】
［効果］
以上のように、上下にあまり隙間を持たせずに、又はほぼ塞いだ状態で取り付けることができる。
【００７４】
また、連結具６１を支持用筒部６３、６４と支持片６５、６６で構成したので、支持片６５、６６を支柱１２に容易に挿入して、支持用筒部６３、６４で確実に固定することができる。これにより、間仕切り６０を容易に組み立て、分解することができるようになる。
【００７５】
［変形例］
（１）　上記各実施形態では、支持用筒部を二段に分割した分割筒部を例に説明したが、図１６に示すように、三段に分割してもよい。この場合は、円錐形筒を上下に三分割した各筒片７１のうち、上下の２つの筒片７１Ａ、７１Ｃを一方の板部材１３に取り付け、中央の筒片７１Ｂを他方の板部材１３に取り付けて構成する。このように構成することにより、一方の板部材１３の上下の２つの筒片７１Ａ、７１Ｃと、他方の板部材１３の中央の筒片７１Ｂとが互いに合わさった状態で、１つの支柱１２に嵌合することになる。
【００７６】
これにより、隣り合う板部材１３が上下にずれることなく、同じ高さに連結することができる。さらに、他方の板部材１３の中央の筒片７１Ｂを、一方の板部材１３の上下の２つの筒片７１Ａ、７１Ｃが挟み込むため、隣り合う２つの板部材１３は互いに上下の移動が規制されてしまう。このため、一方の板部材１３が上下にずれようとすると、他方の板部材１３によって抑えられる。この結果、各板部材１３が支柱１２からずれたり、抜け落ちたりするのを防止することができる。
【００７７】
このとき、中央の筒片７１Ｂの内径を、上下の筒片７１Ａ、７１Ｃを構成する円錐形筒の内径よりも大きく設定してもよい。これにより、中央の筒片７１Ｂが、支柱１２に対して緩やかに嵌合して容易に回動できるようになる。この結果、板部材１３を容易に回動させることができるようになる。この連結具によって複数枚の板部材１３を支柱１２で連結することにより、屏風として使用することができる。
【００７８】
（２）　上記各実施形態では、板部材１３を上下左右に２枚及び４枚組み合わせた場合を例に説明したが、１枚、３枚又は５枚以上組み合わせることもできる。設置場所に応じて、複数枚組み合わせて任意の大きさの間仕切りを構成することができる。
【００７９】
（３）　上記各実施形態では、板部材１３を一定の大きさの板材で構成したが、設置場所等に応じて異なる寸法の板部材１３を構成してもよい。これにより、設置場所等を隙間なく仕切ることも、設定した寸法の隙間を持たせて仕切ることもできる。
【００８０】
【発明の効果】
以上、詳細に説明したように本発明によれば、次のような効果を奏することができる。
【００８１】
（１）　板部材の左右に連結具を設け、当該連結具に支柱を通して上記板部材を少なくとも左右に複数枚組み合わせて任意の大きさにできるようにしたので、設置場所に応じた大きさの間仕切りを構成することができる。このとき、板部材は、連結具によって、左右に複数枚連結することができると共に、上下にも複数枚連結することもできる。
【００８２】
（２）　板部材の左右両端の上下に連結具を設け、上下の連結具の一方に、支柱に嵌合して上記板部材を任意の高さで固定する支持用筒部を備え、上下の連結具の他方に、上記支柱に緩く嵌合して板部材を支持する支持片を備えたので、上下にあまり隙間を持たせずに、又はほぼ塞いだ状態で取り付けることができる。また、間仕切りを容易に組み立てることができる。
【００８３】
（３）　連結具が、支柱に嵌合して任意の高さで固定される支持用筒部を備えて構成され、隣り合う板部材の各支持用筒部が、１本の上記支柱に取り付けられた状態で互いに上下に重なり合うようにずれた位置に設けられたので、隣り合う板部材を上下にずれることなく、同じ高さに連結することができる。
【００８４】
（４）　支持用筒部が、円錐形筒を上下に二分割した一方の筒片で構成されると共に、その一方の筒片を他方の筒片に対して互いに上下に重なり合うようにずれた位置で上記板部材に取り付けて構成されたので、支持用筒部が嵩張ることなく、かつ隣り合う板部材が上下にずれることなく、同じ高さに連結することができる。
【００８５】
（５）　連結具が、板部材の左右端部の一方又は両方の上下方向一方に設けられ、上下方向他方には上下方向一方の上記連結具のずれと逆方向にずらした連結具が設けられたので、隣り合う２つの板部材は支持用筒部及び支持片によって互いに上下の移動が規制され、一方の板部材が上下にずれようとすると、他方の板部材によって抑えられて、各板部材のずれや抜け落ちを防止することができる。
【００８６】
（６）　連結具が、上記支柱に嵌合して任意の高さで固定される支持用筒部を備えて構成され、上記支持用筒部が、円錐形筒を上下に三分割した各筒片のうち、上下の２つの筒片又は中央の筒片を板部材に取り付けて構成されたので、隣り合う板部材が上下にずれることなく、同じ高さに連結することができる。さらに、他方の板部材の中央の筒片を、一方の板部材の上下の２つの筒片が挟み込むため、隣り合う２つの板部材は互いに上下の移動が規制され、各板部材のずれや抜け落ちを防止することができる。
【００８７】
（７）　支持用筒部の中央の筒片の内径が、上下の筒片を構成する円錐形筒の内径よりも大きく設定されたので、板部材を容易に回動させることができ、複数枚の板部材を支柱で連結して、屏風として使用することができる。
【００８８】
（８）　板部材が金網で構成されたので、物理的には仕切るが、視覚的には完全に遮蔽しない間仕切りにすることができる。また、金網に物を掛けて、壁面を有効利用できる。
【図面の簡単な説明】
【図１】本発明の第１の実施形態に係る間仕切りを示す分解図である。
【図２】従来の間仕切りを示す正面図である。
【図３】本発明の第１の実施形態に係る支柱の３つの棒片を示す斜視図である。
【図４】本発明の第１の実施形態に係る支柱のアジャスターを示す正面図である。
【図５】本発明の第１の実施形態に係る板部材を示す正面図である。
【図６】本発明の第１の実施形態に係る板部材を示す平面図である。
【図７】本発明の第１の実施形態に係る支持用筒部を示す正面図である。
【図８】本発明の第１の実施形態に係る支持用スリーブを示す斜視図及び正面図である。
【図９】本発明の第１の実施形態に係る間仕切りの組み立て状態を示す斜視図である。
【図１０】本発明の第１の実施形態に係る間仕切りの組み立て状態を示す正面図である。
【図１１】本発明の第１の実施形態に係る間仕切りを直角に折り曲げた設置例を示す斜視図である。
【図１２】本発明の第１の実施形態に係る間仕切りを平らに広げた設置例を示す斜視図である。
【図１３】本発明の第２の実施形態に係る上部の板部材１３を示す斜視図である。
【図１４】本発明の第２の実施形態に係る下部の板部材１３を示す斜視図である。
【図１５】本発明の第２の実施形態に係る間仕切りを示す斜視図である。
【図１６】変形例を示す正面図である。
【符号の説明】
１１：間仕切り、１２：支柱、１３：板部材、１４：連結具、１６：下段棒片、１７：中段棒片、１８：上段棒片、２０：アジャスター、２１：ナット部、２２：支持足部、２４：環状溝、２６：ネジ山、２７：棒部、２８：当接部、２９：圧接ナット、３０：エンドキャップ、３１：ネジ山、３３：金網部、３４：補強部、３４Ａ、３４Ｂ、３４Ｃ：線材、３７：支持用筒部、３８：分割筒部、４０：支持片、４１：支持用筒部、４２：分割筒部、４３：支持片、４５：支持用筒部、４６：支持片、４７：分割筒部、４８：支持片、５０：支持用筒部、５１：支持片、５２：分割筒部、５３：支持片、５５：支持用スリーブ、５６：係止用凸条。
【図１】
2004116253.tif 000003
【図２】
2004116253.tif 000004
【図３】
2004116253.tif 000005
【図４】
2004116253.tif 000006
【図５】
2004116253.tif 000007
【図６】
2004116253.tif 000008
【図７】
2004116253.tif 000009
【図８】
2004116253.tif 000010
【図９】
2004116253.tif 000011
【図１０】
2004116253.tif 000012
【図１１】
2004116253.tif 000013
【図１２】
2004116253.tif 000014
【図１３】
2004116253.tif 000015
【図１４】
2004116253.tif 000016
【図１５】
2004116253.tif 000017
【図１６】
2004116253.tif 000018